(57)【要約】      （修正有）【課題】電子装置及びタッチペンを収容可能な遮蔽カバーを提供する。【解決手段】遮蔽カバーＣ１は、スロット１１に挿入することができるとともに、スロットを覆うように形成されている。遮蔽カバーは、外蓋部２１と、挿入部２２と、弾性アーム２３と、を有する。挿入部は、外蓋部に接続されており、スロットに挿入することができる。弾性アームは、挿入部に接続されており、弾性アームフックを有する。結合状態において、弾性アームフックは、スロット内のスロット内係合部１１３と係合することができる。解除状態において、弾性アームが、湾曲してスロット内係合部から離脱する。【選択図】図１Ａ
0003232894.tif 000002
【実用新案登録請求の範囲】
【請求項１】
遮蔽カバーであって、スロットに挿入することができるとともに、前記スロットを覆うように形成されており、
外蓋部と、
前記外蓋部と接続し、前記スロットに挿入することができる挿入部と、
前記挿入部と接続し、弾性アームフックを有する弾性アームであって、結合状態において、前記弾性アームフックは、前記スロット内のスロット内係合部に係合することができ、解除状態において、湾曲して、前記スロット内係合部から離脱する弾性アームと、
を備えることを特徴とする遮蔽カバー。
【請求項２】
前記挿入部は、第１方向に沿って前記スロットに挿入され、前記弾性アームは、前記第１方向と反対の第２方向に沿って延在することを特徴とする請求項１に記載の遮蔽カバー。
【請求項３】
前記弾性アームは、係合突起を有し、前記弾性アームフックは、ガイド溝を形成し、前記ガイド溝は、前記係合突起の中央に形成されていることを特徴とする請求項１に記載の遮蔽カバー。
【請求項４】
前記弾性アームは、係合突起を有し、前記弾性アームフックは、Ｕ字型ガイドリブをさらに有し、前記Ｕ字型ガイドリブは、前記係合突起の頂部に形成されていることを特徴とする請求項１に記載の遮蔽カバー。
【請求項５】
前記弾性アームは、押圧部をさらに有し、前記押圧部は、前記弾性アームの自由端に形成されており、前記外蓋部は、外蓋部ノッチを有し、前記押圧部は、前記外蓋部ノッチ内に配置され、押圧することができることを特徴とする請求項１に記載の遮蔽カバー。
【請求項６】
電子装置であって、タッチペン又は遮蔽カバーを選択的に有し、前記電子装置は、装置ハウジングを有し、前記装置ハウジングは、スロットと、スロット内係合部と、を有し、前記スロット内係合部は、前記スロット内に配置されており、前記タッチペンは、前記スロットに挿入して前記スロット内に収納され、前記遮蔽カバーは、前記スロットに挿入することができるとともに、前記スロットを覆い、前記遮蔽カバーは、外蓋部と、挿入部と、弾性アームと、を有し、前記挿入部は、前記外蓋部に接続されており、前記スロットに挿入することができ、前記弾性アームは、前記挿入部に接続されており、弾性アームフックを有し、結合状態において、前記弾性アームフックは、前記スロット内の前記スロット内係合部と係合することができ、解除状態において、前記弾性アームが、湾曲して前記スロット内係合部から離脱することを特徴とする電子装置。
【請求項７】
前記装置ハウジングは、孔を有し、解除状態において、工具が前記孔を通過して前記弾性アームを押圧すると、前記弾性アームが、湾曲して前記スロット内係合部から離脱することを特徴とする請求項６に記載の電子装置。
【請求項８】
前記遮蔽カバーは、第１側フックと、第２側フックと、をさらに有し、前記装置ハウジングは、第１側係合部と、第２側係合部と、をさらに有し、結合状態において、前記第１側フックは前記第１側係合部と係合し、前記第２側フックは前記第２側係合部と係合し、前記弾性アームフックは前記スロット内係合部と係合することを特徴とする請求項６に記載の電子装置。
【請求項９】
前記装置ハウジングは、前記スロットのスロット底部に配置された弾性制限メカニズムを有し、前記弾性制限メカニズムは、前記タッチペンが前記スロットに挿入されると、前記タッチペンは、前記弾性制限メカニズムと係合し、前記スロット内係合部は、前記スロットのスロット開口端に設けられていることを特徴とする請求項６に記載の電子装置。
【請求項１０】
前記挿入部は、第１方向に沿って前記スロットに挿入され、前記弾性アームは、前記第１方向と反対の第２方向に沿って延在することを特徴とする請求項６に記載の電子装置。
【考案の詳細な説明】
【技術分野】
【０００１】
本考案は、遮蔽カバーに関し、特に、電子装置に応用する遮蔽カバーに関する。
【背景技術】
【０００２】
タッチ機能を有する従来の電子装置（例えば、タブレット）は、その多くが、タッチペンを備えており、使用者は、タッチペンを用いて入力を行うことができる。タッチペンは、電子装置のハウジング上に設置されたスロットに挿入及び収納できるようになっている。しかし、タッチパネルの機能が向上したことにより、使用者は、指で入力した方が便利で高速な場合が多くなり、これにより、タッチペンの使用が減少している。また、タッチペンは、振動や揺れによってスロットから外れることがあり、不便である。しかし、タッチペンを取り付けないと、スロットが覆われず、美観に影響するだけでなく、埃等の汚染物が蓄積する可能性がある。
【考案の概要】
【考案が解決しようとする課題】
【０００３】
本考案は、上述した問題を解決する電子装置及び遮蔽カバーを提供することを目的とする。
【課題を解決するための手段】
【０００４】
従来の問題を解決するため、本考案の実施形態は、電子装置及び遮蔽カバーを提供する。遮蔽カバーは、スロットに挿入することができるとともに、スロットを覆うように形成されており、外蓋部と、挿入部と、弾性アームと、を備える。挿入部は、外蓋部に接続されており、スロットに挿入することができるように形成されている。弾性アームは、挿入部に接続されており、弾性アームフックを有する。結合状態において、弾性アームフックは、スロット内のスロット内係合部に係合することができる。解除状態において、弾性アームは、湾曲して、スロット内係合部から離脱する。
【０００５】
一実施形態において、挿入部は、第１方向に沿ってスロットに挿入され、弾性アームは、第１方向と反対の第２方向に沿って延在する。
【０００６】
一実施形態において、弾性アームは、係合突起を有し、弾性アームフックは、ガイド溝を形成し、ガイド溝は、係合突起の中央に形成されている。
【０００７】
一実施形態において、弾性アームは、係合突起を有し、弾性アームフックは、Ｕ字型ガイドリブをさらに有し、Ｕ字型ガイドリブは、係合突起の頂部に形成されている。
【０００８】
一実施形態において、弾性アームは、押圧部をさらに有し、押圧部は、弾性アームの自由端に形成されており、外蓋部は、外蓋部ノッチを有し、押圧部は、外蓋部ノッチ内に配置され、押圧することができる。
【０００９】
別の実施形態において、本考案は、電子装置を提供し、電子装置は、タッチペン又は遮蔽カバーを選択的に有する。電子装置は、装置ハウジングを有する。装置ハウジングは、スロットと、スロット内係合部と、を有する。スロット内係合部は、スロット内に配置されている。タッチペンは、スロットに挿入することができ、スロット内に収納される。遮蔽カバーは、スロットに挿入することができるとともに、スロットを覆う。遮蔽カバーは、外蓋部と、挿入部と、弾性アームと、を有する。挿入部は、外蓋部に接続されており、スロットに挿入することができる。弾性アームは、挿入部と接続されており、弾性アームフックを有する。結合状態において、弾性アームフックは、スロット内のスロット内係合部と係合することができる。解除状態において、弾性アームが、湾曲してスロット内係合部から離脱する。
【００１０】
一実施形態において、装置ハウジングは、孔を有し、解除状態において、工具が孔を通過して弾性アームを押圧すると、弾性アームが、湾曲してスロット内係合部から離脱する。
【００１１】
一実施形態において、遮蔽カバーは、第１側フックと、第２側フックと、をさらに有する。装置ハウジングは、第１側係合部と、第２側係合部と、をさらに有する。結合状態において、第１側フックは第１側係合部と係合し、第２側フックは第２側係合部と係合し、弾性アームフックはスロット内係合部と係合する。
【００１２】
一実施形態において、装置ハウジングは、スロットのスロット底部に配置された弾性制限メカニズムを有し、弾性制限メカニズムは、タッチペンがスロットに挿入されると、タッチペンは、弾性制限メカニズムと係合し、スロット内係合部は、スロットのスロット開口端に設けられている。
【考案の効果】
【００１３】
本考案の実施形態による遮蔽カバーは、電子装置（例えば、タブレット）のスロットに挿入することができるとともに、スロットを覆う。これにより、使用者がタッチペンを使用したくない場合には、遮蔽カバーはスロットと結合することができ、美観を維持することができ、さらに、埃等の汚染物がスロット内に蓄積するのを防止する。本考案の実施形態による遮蔽カバーは、組み立て及び取り外しが容易であるとともに、離脱しにくい。
【図面の簡単な説明】
【００１４】
【図１Ａ】本考案の実施形態による、電子装置を示す図である。
【図１Ｂ】本考案の実施形態による、遮蔽カバーがスロットに挿入された状態の電子装置を示す図である。
【図１Ｃ】本考案の実施形態による、タッチペンがスロットに挿入された状態の電子装置を示す図である。
【図２】本考案の実施形態による、遮蔽カバーの細部構造を示す図である。
【図３Ａ】本考案の実施形態による、遮蔽カバーがスロット内で結合状態にあることを示す図である。
【図３Ｂ】本考案の実施形態による、遮蔽カバーがスロット内で解除状態にあることを示す図である。
【図４】本考案の実施形態による、遮蔽カバーがスロットと結合された状態を示す図である。
【図５】本考案の実施形態による、弾性制限メカニズムを示す図である。
【図６】本考案の第２実施形態による、遮蔽カバーを示す図である。
【図７】本考案の第３実施形態による、遮蔽カバーを示す図である。
【図８Ａ】本考案の第４実施形態による、遮蔽カバーを示す図である。
【図８Ｂ】本考案の第４実施形態による、遮蔽カバー及び装置ハウジングが結合した状態を示す図である。
【考案を実施するための形態】
【００１５】
図１Ａは、本考案の実施形態による、電子装置を示す図である。図１Ｂは、本考案の実施形態による、遮蔽カバーがスロットに挿入された状態の電子装置を示す図である。図１Ｃは、本考案の実施形態による、タッチペンがスロットに挿入された状態の電子装置を示す図である。図１Ａ〜図１Ｃを参照すると、一実施形態において、本考案は、電子装置Ｅを提供し、タッチペンＰ又は遮蔽カバーＣ１を選択的に有する。電子装置Ｅは、装置ハウジング１を有し、装置ハウジング１は、スロット１１と、スロット内係合部（図示省略）と、を有する。スロット内係合部（図示省略）は、スロット１１内に配置されている。タッチペンＰは、スロット１１に挿入することができ、スロット１１内に収納される（図１Ｃ）。遮蔽カバーＣ１は、スロット１１に挿入することができるとともに、スロット１１を覆う（図１Ｂ）。
【００１６】
図２は、本考案の実施形態による、遮蔽カバーの細部構造を示す図である。図２を参照すると、一実施形態において、遮蔽カバーＣ１は、外蓋部２１と、挿入部２２と、弾性アーム２３と、を有する。挿入部２２は、外蓋部２１に接続されるとともに、スロット内に挿入することができる。弾性アーム２３は、挿入部２２に接続されており、弾性アームフック２３１を有する。
【００１７】
図３Ａは、本考案の実施形態による、遮蔽カバーがスロット内で結合状態にあることを示す図である。図３Ｂは、本考案の実施形態による、遮蔽カバーがスロット内で解除状態にあることを示す図である。図３Ａを参照すると、結合状態において、弾性アームフック２３１は、スロット１１内のスロット内係合部１１３と係合する。図３Ｂを参照すると、解除状態において、弾性アーム２３が湾曲して、弾性アームフック２３１がスロット内係合部１１３から離脱する。
【００１８】
図１Ａを参照すると、一実施形態において、挿入部２２は、第１方向Ｘ１に沿ってスロット１１に挿入される。弾性アーム２３は、第１方向Ｘ１と反対の第２方向Ｘ２に沿って延在する。
【００１９】
図１Ａ、図３Ａ及び図３Ｂを参照すると、一実施形態において、装置ハウジング１は、孔１２を有しており、解除状態において、工具９（例えば、ピン）が孔１２を通過して弾性アーム２３を押圧すると、弾性アーム２３が湾曲して、弾性アームフック２３１がスロット内係合部１１３から離脱する。これにより、使用者は、スロット１１内から遮蔽カバーを容易に取り出すことができる。この実施形態において、工具９は、弾性アームフック２３１を直接押圧する。
【００２０】
図４は、本考案の実施形態による、遮蔽カバーがスロットと結合された状態を示す図である。図２、図３Ａ、図４を参照すると、一実施形態において、遮蔽カバーＣ１は、第１側フック２４１と、第２側フック２４２と、をさらに有する。装置ハウジング１は、第１側係合部１１１と、第２側係合部１１２と、をさらに有する。結合状態において、第１側フック２４１は第１側係合部１１１と係合し、第２側フック２４２は第２側係合部１１２と係合し、弾性アームフック２３１はスロット内係合部１１３と係合する。
【００２１】
一実施形態において、第１側フック２４１及び第２側フック２４２の係合力は、弾性アームフック２３１の係合力よりもかなり低い。よって、使用者が力をかけて遮蔽カバーを引き抜くと、第１側フック２４１が直接力を受けて、第１側係合部１１１から離脱し、第２側フック２４２が直接力を受けて、第２側係合部１１２から離脱する。他の実施形態において、第１側フック２４１及び第２側フック２４２は、省略されてもよい。上記の開示は、本考案を限定しない。
【００２２】
図２及び図４を参照すると、一実施形態において、外蓋部２１には、外蓋部ノッチ２１１が形成されている。外蓋部ノッチ２１１は、使用者が、力を加えて遮蔽カバーＣ１を引き抜くのに便利である。
【００２３】
図５は、本考案の実施形態による、弾性制限メカニズムを示す図である。図１Ａ、図１Ｃ、図５を参照すると、一実施形態において、装置ハウジング１は、弾性制限メカニズム１３をさらに有する。弾性制限メカニズム１３は、スロット１１のスロット底部に配置されており、タッチペンＰがスロット１１に挿入されると、タッチペンＰは、弾性制限メカニズム１３と係合する。具体的には、タッチペンＰは、定位凹溝３１を有する。タッチペンＰがスロット１１に挿入されると、タッチペンＰの定位凹溝３１は、弾性制限メカニズム１３と係合する。一実施形態において、弾性制限メカニズム１３は、弾性アームと、係合突起と、を有する。
【００２４】
図３Ａを併せて参照すると、スロット内係合部１１３は、スロット１１のスロット開口端に設けられている。
【００２５】
図６は、本考案の第２実施形態による、遮蔽カバーを示す図である。図６を参照すると、一実施形態において、遮蔽カバーＣ２の弾性アームフック２３１Ａは、係合突起である。弾性アームフック２３１Ａは、ガイド溝２３２を形成しており、ガイド溝２３２は、係合突起２３１Ａの中央に形成されている。ガイド溝２３２の設計により、工具（例えば、ピン）をガイド溝２３２に正確に挿入して、弾性アームを押すことができるので、弾性アームフック２３１Ａがスロット内係合部から離脱することができる。
【００２６】
図７は、本考案の第３実施形態による、遮蔽カバーを示す図である。図７を参照すると、一実施形態において、遮蔽カバーＣ３の弾性アームフック２３１Ｂは、係合突起であり、弾性アームフック２３１Ｂは、Ｕ字型ガイドリブ２３３をさらに有する。Ｕ字型ガイドリブ２３３は、係合突起の頂部に形成されている。Ｕ字型ガイドリブ２３３の設計により、工具（例えば、ピン）をＵ字型ガイドリブ２３３に正確に挿入して、弾性アームを押すことができるので、弾性アームフック２３１Ｂがスロット内係合部から離脱することができる。
【００２７】
図８Ａは、本考案の第４実施形態による、遮蔽カバーを示す図である。図８Ｂは、本考案の第４実施形態による、遮蔽カバー及び装置ハウジングが結合した状態を示す図である。図８Ａ及び図８Ｂを参照すると、一実施形態において、遮蔽カバーＣ４の弾性アーム２３Ｃは、押圧部２３４をさらに有する。押圧部２３４は、弾性アーム２３Ｃの自由端に形成されている。外蓋部２１Ｃは、外蓋部ノッチ２１２を有しており、押圧部２３４は、外蓋部ノッチ２１２内に配置されており、押圧することができ、これにより、弾性アームフック２３１Ｃが、スロット内係合部から離脱する。よって、使用者は、スロットから遮蔽カバーを容易に取り出すことができる。
【００２８】
本考案の実施形態による遮蔽カバーは、電子装置（例えば、タブレット）のスロットに挿入することができるとともに、スロットを覆うことができる。これにより、使用者がタッチペンを使用したくない場合に、遮蔽カバーをスロットと結合することができるので、美観を維持することができ、さらに、埃等の汚染物がスロット内に蓄積するのを防止することができる。本考案の実施形態による遮蔽カバーは、組み立て及び取り外しが容易であるとともに、離脱しにくい。
【００２９】
本考案の好ましい実施形態を上述したように開示したが、これらは、決して本考案を限定するものではなく、当該技術を熟知する者なら誰でも、本考案の思想を脱しない範囲内で各種の変形を加えることができる。
【符号の説明】
【００３０】
Ｅ…電子装置
Ｐ…タッチペン
Ｃ１〜Ｃ４…遮蔽カバー
１…装置ハウジング
１１…スロット
１１１…第１側係合部
１１２…第２側係合部
１１３…スロット内係合部
１２…孔
１３…弾性制限メカニズム
２１，２１Ｃ…外蓋部
２１１，２１２…外蓋部ノッチ
２２…挿入部
２３，２３Ｃ…弾性アーム
２３１，２３１Ａ，２３１Ｂ，２３１Ｃ…弾性アームフック
２３２…ガイド溝
２３３…Ｕ字型ガイドリブ
２３４…押圧部
２４１…第１側フック
２４２…第２側フック
３１…定位凹溝
９…工具
Ｘ１…第１方向
Ｘ２…第２方向
【図１Ａ】
0003232894.tif 000003
【図１Ｂ】
0003232894.tif 000004
【図１Ｃ】
0003232894.tif 000005
【図２】
0003232894.tif 000006
【図３Ａ】
0003232894.tif 000007
【図３Ｂ】
0003232894.tif 000008
【図４】
0003232894.tif 000009
【図５】
0003232894.tif 000010
【図６】
0003232894.tif 000011
【図７】
0003232894.tif 000012
【図８Ａ】
0003232894.tif 000013
【図８Ｂ】
0003232894.tif 000014